(57)【要約】      （修正有）【課題】複数の需要家の合計の需要電力量を決められた時間帯に決められた量削減するデマンドレスポンスと、各需要家ごとの受電電力量のピークカットをすることの両方を行う蓄電池管理装置、蓄電池管理方法および蓄電池管理プログラムを提供する。【解決手段】蓄電池管理装置１０は、複数の需要家３それぞれの時間単位ごとの需要電力量を予測する予測部１７と、所定の時間帯の複数の需要家の受電電力量の合計値を予測された需要電力量の合計値よりも第１の電力量以上削減するとともに、予測された需要家ごとの需要電力量に基づいて需要家ごとの時間単位ごとの受電電力量が第２の電力量以下となるように、需要家のそれぞれが有する蓄電池４の時間単位ごとの充電量および放電量を規定する第１の充放電計画を作成する作成部１８と、を備える。【選択図】図２
2019134522.tif 000002
【特許請求の範囲】
【請求項１】
複数の需要家それぞれの時間単位ごとの需要電力量を予測する予測部と、
所定の時間帯の複数の前記需要家の受電電力量の合計値を予測された前記需要電力量の合計値よりも第１の電力量以上削減するとともに、予測された前記需要家ごとの前記需要電力量に基づいて前記需要家ごとの前記時間単位ごとの前記受電電力量が第２の電力量以下となるように、前記需要家のそれぞれが有する蓄電池の前記時間単位ごとの充電量および放電量を規定する第１の充放電計画を作成する作成部と、
を備える蓄電池管理装置。
【請求項２】
前記作成部は、さらに、前記所定の時間帯の複数の前記需要家の受電電力量の合計値を予測された前記需要電力量の合計値よりも第１の電力量以上削減するとともに、前記需要家ごとの前記時間単位ごとの前記受電電力量が第２の電力量以下になる前記充電量および前記放電量が複数存在する場合に、他の前記充電量および前記放電量を規定した場合よりも複数の前記需要家の従量電気料金の合計値が小さくなるように前記充電量および前記放電量を規定した前記第１の充放電計画を作成する、
請求項１に記載の蓄電池管理装置。
【請求項３】
前記第１の充放電計画に従って、前記蓄電池の充放電を制御する制御部をさらに備える、
請求項１または２に記載の蓄電池管理装置。
【請求項４】
前記作成部は、さらに、前記所定の時間帯に前記受電電力量の削減を行わない第２の充放電計画を作成し、
前記第２の充放電計画は、前記所定の時間帯より前の時刻においては、前記第１の充放電計画と等しい、
請求項１から３のいずれか１項に記載の蓄電池管理装置。
【請求項５】
前記作成部は、さらに、前記蓄電池の蓄電残量が閾値以上となるように前記蓄電池の前記時間単位ごとの前記充電量および前記放電量を規定する前記第１の充放電計画を作成する、
請求項１から４のいずれか１項に記載の蓄電池管理装置。
【請求項６】
複数の需要家それぞれの時間単位ごとの需要電力量を予測する予測ステップと、
所定の時間帯の複数の前記需要家の受電電力量の合計値を予測された前記需要電力量の合計値よりも第１の電力量以上削減するとともに、予測された前記需要家ごとの前記需要電力量に基づいて前記需要家ごとの前記時間単位ごとの前記受電電力量が第２の電力量以下となるように、前記需要家のそれぞれが有する蓄電池の前記時間単位ごとの充電量および放電量を規定する第１の充放電計画を作成する作成ステップと、
を含む蓄電池管理方法。
【請求項７】
複数の需要家それぞれの時間単位ごとの需要電力量を予測する予測ステップと、
所定の時間帯の複数の前記需要家の受電電力量の合計値を予測された前記需要電力量の合計値よりも第１の電力量以上削減するとともに、予測された前記需要家ごとの前記需要電力量に基づいて前記需要家ごとの前記時間単位ごとの前記受電電力量が第２の電力量以下となるように、前記需要家のそれぞれが有する蓄電池の前記時間単位ごとの充電量および放電量を規定する第１の充放電計画を作成する作成ステップと、
をコンピュータに実行させる蓄電池管理プログラム。
【発明の詳細な説明】
【技術分野】
【０００１】
本発明の実施形態は、蓄電池管理装置、蓄電池管理方法および蓄電池管理プログラムに関する。
【背景技術】
【０００２】
近年、電力の供給状況に応じて、需要家の受電電力量を変化させるデマンドレスポンス（ＤＲ、Demand  Response）や、これを活用した取り組みである、エネルギー・リソース・アグリゲーション・ビジネス（ＥＲＡＢ）への注目が高まっている。このようなデマンドレスポンスを実現するために、需要家側に設置された蓄電池を制御する技術が知られている。
【０００３】
また、需要家の受電電力のピークカットを目的として需要家側に設置された蓄電池を制御する技術も知られている。
【先行技術文献】
【特許文献】
【０００４】
【特許文献１】特開２０１６−２２０３８４号公報
【特許文献２】国際公開第２０１６／０８４３４７号公報
【発明の概要】
【発明が解決しようとする課題】
【０００５】
しかしながら、従来技術においては、複数の需要家の合計の需要電力量を、決められた時間帯に決められた量削減するデマンドレスポンスと、各需要家ごとの受電電力量のピークカットをすることの両方を行うことは困難な場合があった。
【課題を解決するための手段】
【０００６】
実施形態の蓄電池管理装置は、予測部と、作成部とを備える。予測部は、複数の需要家それぞれの時間単位ごとの需要電力量を予測する。作成部は、所定の時間帯の複数の需要家の受電電力量の合計値を予測された需要電力量の合計値よりも第１の電力量以上削減するとともに、予測された需要家ごとの需要電力量に基づいて需要家ごとの時間単位ごとの受電電力量が第２の電力量以下となるように、需要家のそれぞれが有する蓄電池の時間単位ごとの充電量および放電量を規定する第１の充放電計画を作成する。
【図面の簡単な説明】
【０００７】
【図１】図１は、実施形態にかかる電力需給システムの概要を示す図である。
【図２】図２は、実施形態にかかる蓄電池管理装置が有する機能の一例を示す図である。
【図３】図３は、実施形態にかかる各需要家の契約内容データの一例である。
【図４】図４は、実施形態にかかる各需要家の蓄電池性能データの一例である。
【図５】図５は、実施形態にかかる各需要家の過去の受電電力量の実績の一例である。
【図６】図６は、実施形態にかかる蓄電池管理処理の流れの一例を示すフローチャートである。
【図７】図７は、実施形態にかかる第１の充放電計画の一例を示すグラフである。
【図８】図８は、実施形態にかかる第１の充放電計画から、１つの需要家に関するデータを抽出したグラフである。
【図９】図９は、実施形態にかかる第２の充放電計画の一例を示すグラフである。
【図１０】図１０は、実施形態にかかる第２の充放電計画から、１つの需要家に関するデータを抽出したグラフである。
【発明を実施するための形態】
【０００８】
図１は、実施形態にかかる電力需給システムの概要を示す図である。図１に示す系統運用者６は、電力会社や送配電事業者等であり、電力系統５を運用して、発電機８を制御することにより、複数の需要家３および需要家７へ電力を供給する。
【０００９】
需要家３および需要家７は、電力の供給を受け、当該電力を利用する主体である。本実施形態においては、需要家３は、事務所や商業施設が入居するビル等とする。また、需要家７は、工場やビル、住宅等とする。また、ビル等を運用する事業者を、需要家３としても良い。また、各需要家３は、蓄電池４を有している。
【００１０】
ＤＲアグリゲータ２は、系統運用者６からの受電電力量の削減要請（ＤＲ要請）に基づいて、複数の需要家３の受電電力量を削減してデマンドレスポンスを行う事業者である。本実施形態のＤＲアグリゲータ２は、系統運用者６からの削減要請に基づいて、各需要家３の蓄電池４を制御することによって、所定の時間帯の各需要家３の受電電力量の合計を、各需要家３のベースライン電力の合計から、予め決められた量だけ削減する。
【００１１】
本実施形態では、デマンドレスポンスにおいて予め決められた削減量を、ＤＲ量という。また、本実施形態のベースライン電力は、各需要家３の予想される需要電力量である。ベースライン電力は、デマンドレスポンスによって受電電力の削減が行われていない場合における各需要家３の受電電力量でもある。また、ＤＲアグリゲータ２がデマンドレスポンスによって受電電力量の削減を行う所定の時間帯を、ＤＲ時間帯という。ＤＲ時間帯は、系統運用者６からＤＲアグリゲータ２への要請や、事前に結ばれた契約等によって決定する。
【００１２】
本実施形態のＤＲアグリゲータ２は、デマンドレスポンスだけではなく、各需要家３ごとの受電電力量のピークカットをする。具体的には、ＤＲアグリゲータ２は、各需要家３の蓄電池４を制御することによって、各需要家３ごとの受電電力量の最大値を、予め定められたピークカットの目標値以下にする。
【００１３】
ＤＲアグリゲータ２は、蓄電池管理装置１０によって蓄電池４の充電または放電のスケジュール（充放電計画）を作成し、当該充放電計画に従って蓄電池４の充放電を制御する。蓄電池管理装置１０は、ＰＣ（Personal  Computer）等であり、ＣＰＵと、メモリと、ＨＤＤと、通信インタフェース（Ｉ／Ｆ）と、ディスプレイ等の表示装置と、キーボードやマウス等の入力装置とを備える通常のコンピュータを利用したハードウェア構成となっている。
【００１４】
図２は、本実施形態にかかる蓄電池管理装置１０が有する機能の一例を示す図である。図２に示すように、蓄電池管理装置１０は、入力部１１と、記憶部１２と、取得部１３と、表示制御部１４と、予測部１７と、作成部１８と、制御部１６とを備える。
【００１５】
記憶部１２は、入力部１１から入力された需要家３の契約内容や蓄電池４に関するデータや、取得部１３が取得したデータ、予測部１７および作成部１８でデータ処理を行うための計算条件、予測部１７および作成部１８の演算結果等を記憶する。記憶部１２は、例えばＨＤＤや、メモリである。
【００１６】
図３は、本実施形態にかかる各需要家３の契約内容データの一例である。契約内容データは、各需要家３の契約に関するデータであり、より詳細には、需要家名と、各需要家３の契約電力と、各需要家３のピークカット電力とが対応付けられたデータである。ピークカット電力は、需要家３が受電電力の最大値の目標値として電力会社と契約した値である。ピークカット電力を３０分ごとの電力量に変換すると、ピークカットの目標値（目標電力量）となる。各需要家３は、一定期間以上、受電電力をピークカット電力以下に保つことができた場合に、契約電力を引き下げることが可能となり、基本料金を低くすることができる。
【００１７】
また、図４は、本実施形態にかかる各需要家３の蓄電池性能データの一例である。蓄電池性能データは、各需要家３の蓄電池４に関するデータであり、より詳細には、蓄電池４を特定可能な蓄電池名と、当該蓄電池４を有する需要家名と、各蓄電池４の容量、充放電レートと、充放電効率とが対応付けられたデータである。
【００１８】
入力部１１は、入力装置を介してデータの入力を受け、記憶部１２に保存する。入力部１１が受けるデータは、後述の最適化モデルにおけるパラメータ等である。
【００１９】
取得部１３は、需要家３に設置された電力量計２１から、需要家３の受電電力量の計測値を取得する。図５は、本実施形態にかかる各需要家３の過去の受電電力量の実績の一例である。取得部１３は、日付と、時刻と、需要家３毎に、３０分間隔の時間単位ごとの受電電力量を電力量計２１から取得し、これらのデータを対応付けて、受電電力量の実績データとして記憶部１２に保存する。
【００２０】
表示制御部１４は、予測部１７および作成部１８の演算結果等を表示装置に表示する。
【００２１】
予測部１７は、各需要家３の時間単位ごとの需要電力量を予測する。より詳細には、予測部１７は、記憶部１２に保存された受電電力量の実績データや、曜日等のカレンダー情報に基づいて、デマンドレスポンスによって受電電力の削減が行われない場合の、翌日の時間単位ごとの各需要家３の需要電力量を予測する。予測部１７の予測した結果が、時間単位ごとの各需要家３のベースライン電力となる。
【００２２】
作成部１８は、ＤＲ時間帯の複数の需要家３の受電電力量の合計値を予測された需要電力量（ベースライン電力）の合計値よりもＤＲ量以上削減するとともに、予測された需要家３ごとの需要電力量に基づいて需要家３ごとの時間単位ごとの受電電力量がピークカットの目標値以下となるように、蓄電池４の時間単位ごとの充電量および放電量を規定する第１の充放電計画を作成する。第１の充放電計画は、デマンドレスポンスを行う場合における蓄電池４の充放電計画である。ＤＲ量は、本実施形態における第１の電力量の一例である。ピークカットの目標値は、本実施形態における第２の電力量の一例である。
【００２３】
また、作成部１８は、デマンドレスポンスを行わない場合における翌日の蓄電池４の時間単位ごとの充電量および放電量を規定する充放電計画を、第２の充放電計画として作成する。本実施形態においては、系統運用者６は、ＤＲアグリゲータ２に対して、デマンドレスポンスによる受電電力削減の要否を当日に連絡するものとする。このため、ＤＲアグリゲータ２は、予め翌日の第１、第２の充放電計画の両方を作成することによって、デマンドレスポンスを行う場合と行わない場合いずれにも対応可能な準備をする。
【００２４】
制御部１６は、作成部１８によって作成された第１の充放電計画または第２の充放電計画に従って、各蓄電池４の充放電を制御する。より詳細には、制御部１６は、第１の充放電計画または第２の充放電計画を、時間単位ごとの充電または放電の電力値を示す指令信号に変換して、各蓄電池４に送信する。蓄電池４は、制御部１６から充電を指示する指令信号を受信した場合は、時間単位ごとに指定された量だけ、電力系統５から電力を取得して充電をする。また、蓄電池４は、放電を指示する指令信号を受信した場合は、時間単位ごとに指定された量だけ、放電をして屋内配電線２２を介して負荷２３に電力を供給する。負荷２３は、照明や空調等の電力を消費する機器である。
【００２５】
次に、以上のように構成された本実施形態の蓄電池管理装置１０が実行する処理の流れについて説明する。図６は、本実施形態にかかる蓄電池管理処理の流れの一例を示すフローチャートである。
【００２６】
まず、予測部１７は、記憶部１２から受電電力量の実績データや、曜日等のカレンダー情報を読み出し、これらの情報に基づいて、デマンドレスポンスによって受電電力の削減が行われない場合の、翌日の時間単位ごとの各需要家３の需要電力量（ベースライン電力）を予測する（Ｓ１）。
【００２７】
次に、作成部１８は、予測部１７によって予測された需要電力量と、需要家３それぞれの蓄電池４に関する情報とに基づいて、翌日の第１の充放電計画を作成する（Ｓ２）。より詳細には、作成部１８は、式（２）〜（９）に示される制約条件下で、式（１）の目的関数を最小化する最適化モデル（最適化問題）の最適解を算出することによって、各需要家３の蓄電池４の時間単位ごとの充放電量を求める。式（１）〜（９）の最適化問題は、線形計画問題と呼ばれる問題である。作成部１８は、例えば、単体法や内点法等の手法によって（１）の目的関数を最小化する最適解を算出する。
【００２８】
【数１】
2019134522.tif 000003
【００２９】
式（１）は、計画対象の時間Ｔにおける全需要家３の従量電気料金の合計値を示す。ここでは、Ｔは、この処理が実行される日の翌日の２４時間とする。ｔは３０分間隔の時間単位を示す。式（１）〜（９）の説明では、時間単位を時刻ｔという。また、ｄは需要家３を示す。Ｄは、ＤＲアグリゲータ２が管理する全需要家３を示す。
【００３０】
作成部１８は、式（２）〜（９）を満たした上で、全需要家３の従量電気料金の合計値がより少なくなる変数Ｐｒ（ｄ，ｔ）、Ｓ（ｄ，ｔ）、Ｑｃｈｇ（ｄ，ｔ）、Ｑｄｉｓ（ｄ，ｔ）の値を求める。
【００３１】
Ｐｒ（ｄ，ｔ）は、需要家３ごとの時刻ｔにおける受電電力量（ｋＷｈ）である。Ｓ（ｄ，ｔ）は、需要家３に設置された蓄電池４ごとの時刻ｔにおける蓄電残量（ｋＷｈ）である。
【００３２】
また、Ｑｃｈｇ（ｄ，ｔ）は、需要家３ごとの蓄電池４の時刻ｔにおける充電電力量（ｋＷｈ）である。Ｑｄｉｓ（ｄ，ｔ）は、需要家３ごとの蓄電池４の時刻ｔにおける放電電力量（ｋＷｈ）である。この最適化モデルによって作成部１８が算出するＱｃｈｇ（ｄ，ｔ）とＱｄｉｓ（ｄ，ｔ）の値が、第１の充放電計画となる。本実施形態では、式（１）の値が最小化する解が最適解であるため、作成部１８は、式（２）〜（９）の制約条件を満たすＱｃｈｇ（ｄ，ｔ）とＱｄｉｓ（ｄ，ｔ）の値が複数存在する場合、式（１）の値が他のＱｃｈｇ（ｄ，ｔ）とＱｄｉｓ（ｄ，ｔ）よりも小さくなるＱｃｈｇ（ｄ，ｔ）とＱｄｉｓ（ｄ，ｔ）の値を、第１の充放電計画とする。
【００３３】
作成部１８は、記憶部１２に保存されたデータから入力パラメータΔｔ、Ｐｄ（ｄ，ｔ）、Ｐｐｃ（ｄ）、ｃ（ｄ，ｔ）、ｎｃｈｇ（ｄ）、ｎｄｉｓ（ｄ）、Ｗ（ｄ）、Ｃ（ｄ）、ＤＲ、ＳＢＣＰ（ｄ）は、式（１）〜（９）への入力値を取得し、各入力パラメータに入力した上で、式（１）〜（９）の最適化モデルの最適解を求める。
【００３４】
Δｔは、時間ステップ（time  step）であり、各式の時間単位を示す。本実施形態の時間ステップは、３０分刻みである。Ｐｄ（ｄ，ｔ）は、需要家３ごとの時刻ｔにおける電力需要の予測値（ベースライン電力）（ｋＷｈ）である。Ｐｐｃ（ｄ）は、図３に示された需要家３ごとのピークカット電力（ｋＷ）である。ｃ（ｄ，ｔ）は、需要家３ごとの時刻ｔにおける買電単価（円／ｋＷｈ）である。ｎｃｈｇ（ｄ）は、需要家３に設置された蓄電池４ごとの充電効率である。ｎｄｉｓ（ｄ）は、需要家３に設置された蓄電池４ごとの放電効率である。Ｗ（ｄ）は、需要家３に設置された蓄電池４ごとの定格容量（ｋＷｈ）である。Ｃ（ｄ）は、需要家３に設置された蓄電池４ごとの充放電レート（Ｃ）である。ＤＲは、ＤＲ量、つまり、系統運用者６とＤＲアグリゲータ２との間の契約で予め決められた全需要家３の受電電力量の削減量（ｋＷｈ）を示す。ＳＢＣＰ（ｄ）は、需要家３に設置された蓄電池４ごとのＢＣＰ（Business  Continuity  Planning、事業継続計画）容量である。ＢＣＰ容量は、災害時等に電力系統５からの電力供給が停止した場合においても需要家３が一定期間事業を継続するために、蓄電池４が蓄える電力量である。ＢＣＰ容量は、本実施形態における閾値の一例である。
【００３５】
式（２）は、ＤＲアグリゲータ２がＤＲ時間帯ＴＤＲにおいて、全需要家３の受電電力量の合計値が、ベースライン電力からＤＲ量を減算した値以下であるという制約条件である。
【００３６】
式（３）は、需要家３ごとの、時刻ｔごとの需要電力量と、蓄電池４または系統運用者６からの供給電力量が等しくなるという電力の需給バランスを保つという制約条件である。より詳細には、式（３）は、需要家３ごとかつ時刻ｔごとのベースライン電力に対して蓄電池４の充電電力を加算し、蓄電池４の放電電力を減算した値が、需要家３の受電電力量と等しくなるという制約条件である。
【００３７】
式（４）は、逆潮流禁止の制約条件である。需要家３に設置された蓄電池４から放電された電力が電力系統５に流入することを逆潮流という。式（４）は、需要家３ごとの時刻ｔにおける受電電力量が０以上となること、つまり、蓄電池４から電力系統５への電力の流入が無いことを規定している。
【００３８】
式（５）は、需要家３ごとのピークカットの制約条件である。式（５）は、需要家３ごとの時刻ｔにおける受電電力量が、需要家３ごとのピークカットの目標値以下となるように規定する。
【００３９】
式（６）は、蓄電池４におけるエネルギー保存則の制約条件である。より詳細には、式（６）は、時間単位における蓄電池４の蓄電残量の変化量は、充電電力量に充電効率を乗算した値から、放電電力量に放電効率を乗算した値を減算した値となることを規定する。
【００４０】
式（７）は、蓄電池４の放電電力量の上限の制約条件である。また、式（８）は、蓄電池４の充電電力量の上限の制約条件である。需要家３に設置された蓄電池４ごとの時刻ｔにおける放電電力量および充電電力量は、各蓄電池４の定格容量と充放電レートによって規定される。
【００４１】
式（９）は、需要家３に設置された蓄電池４ごとのＢＣＰの制約条件である。式（９）は、各蓄電池４の蓄電残量が、ＢＣＰ容量以上であることを規定する。
【００４２】
図７は、本実施形態にかかる第１の充放電計画の一例を示すグラフである。図７の横軸は２４時間分の時刻ｔ、縦軸は受電電力量または需要電力量（ｋＷｈ）を示す。図７上部の棒グラフは、需要家３ごとの受電電力量を積み上げた値を示す。また、図７上部の折れ線グラフは、需要家３ごとの需要電力量（ベースライン電力）を積み上げた値を示す。また、図７下部の棒グラフは、需要家３の蓄電池４ごとの充放電量を積み上げた値を示す。図７下部の棒グラフの正の数は放電、負の数は充電を示す。図７下部の折れ線グラフは、需要家３の蓄電池４ごとの蓄電容量を積み上げた値を示す。
【００４３】
本実施形態では、ＤＲ時間帯９０におけるＤＲ量は、全需要家３の合計で８ｋＷｈ＋８ｋＷｈ＝１６ｋＷｈであるとする。図７に示す第１の充放電計画では、ＤＲ時間帯９０に、需要家３の蓄電池４が放電することによって、受電電力量がベースライン電力よりもＤＲ量分減少している。また、第１の充放電計画では、各蓄電池４は、ＤＲ時間帯９０の開始前に、ＤＲ時間帯９０に放電するための電力を充電する。また、ＤＲ時間帯９０にＤＲ量分の電力削減を行っても、各蓄電池４の蓄電残量はＢＣＰ容量以上であるとする。つまり、第１の充放電計画では、各蓄電池４は、ＢＣＰ容量を確保した上で、余力分の蓄電残量を用いて、ＤＲ時間帯９０に、受電電力量をＤＲ量分減少させるための放電をする。
【００４４】
また、第１の充放電計画では、各蓄電池４の充放電によって、需要家３全体に対してデマンドレスポンスを行うだけではなく、需要家３ごとの受電電力量のピークカットを行う。図８は、本実施形態にかかる第１の充放電計画から、１つの需要家３に関するデータを抽出したグラフである。図８に示すように、当該需要家３に設置された蓄電池４は、需要電力量がピークカット目標値を超えることが予測される時間帯に放電をすることにより、受電電力量をピークカット目標値以下にする。
【００４５】
ＤＲ時間帯９０は全需要家３に共通して同じ時間帯であるが、各需要家３の需要電力量がピークカット目標値を超えることが予測される時間帯はそれぞれの需要家３によって異なる。このため、ＤＲ時間帯９０と各需要家３の需要電力量がピークカット目標値を超えることが予測される時間帯とは、一致するとは限らない。作成部１８は、需要家３ごとの需要電力量の予測値に基づいて第１の充放電計画を作成するため、各需要家３の需要電力量が増加する時間帯に合わせて各蓄電池４の放電をしてピークカットをする計画を作成することができる。
【００４６】
作成部１８は、作成した第１の充放電計画を、記憶部１２に保存する。
【００４７】
次に、作成部１８は、予測部１７によって予測された需要電力量と、需要家３それぞれの蓄電池４に関する情報と、Ｓ２の処理で求めた変数の値とに基づいて、翌日の第２の充放電計画を作成する（Ｓ３）。より詳細には、作成部１８は、上述の式（３）〜（９）に示される制約条件に加えて、式（１０）〜（１２）の制約条件を満たした上で、式（１）の目的関数を最小化する最適化モデルの最適解を算出することによって、各需要家３の蓄電池４の時間単位ごとの充放電量を求める。
【００４８】
【数２】
2019134522.tif 000004
【００４９】
作成部１８は、式（１０）〜（１２）の入力パラメータＳ´（ｄ，ｔ）、Ｑ´ｃｈｇ（ｄ，ｔ）、Ｑ´ｄｉｓ（ｄ，ｔ）に、Ｓ２の処理で求めた第１の充放電計画の変数Ｓ（ｄ，ｔ）、Ｑｃｈｇ（ｄ，ｔ）、Ｑｄｉｓ（ｄ，ｔ）の値を入力する。式（１０）〜（１２）の条件に記載のｔｄｒは、ＤＲ時間帯９０の開始時刻である。
【００５０】
式（１０）〜（１２）は、ＤＲ時間帯９０前の時刻においては、第２の充放電計画の各蓄電池４の時刻ｔごとの蓄電残量と、充電電力量と、放電電力量とは、第１の充放電計画の各蓄電池４の時刻ｔごとの蓄電残量と、充電電力量と、放電電力量とそれぞれ等しいという制約条件である。
【００５１】
本実施形態においては、ＤＲアグリゲータ２がデマンドレスポンスを行うか否かは、当日になるまで不明である。このため、作成部１８は、ＤＲ時間帯９０よりも前の時刻においては、第１の充放電計画と同様にデマンドレスポンスを行うことが可能な量の各蓄電池４の蓄電残量を確保するために、式（１０）〜（１２）の制約条件を満たす第２の充放電計画を作成する。
【００５２】
また、作成部１８は、翌日の第２の充放電計画を作成するために、翌々日にデマンドレスポンスが発動される可能性がある場合には、予測部１７によってさらに翌々日の需要電力量を予測し、２日分の制約条件式（３）〜（９）と、式（１０）〜（１２）の下で、式（１）の目的関数を最小化する最適化モデルの最適解を導出することにより、各需要家３の蓄電池４の時間単位ごとの充放電量を求めても良い。
【００５３】
図９は、本実施形態にかかる第２の充放電計画の一例を示すグラフである。図９は、翌々日にもデマンドレスポンスが発動されることを想定した第２の充放電計画を示す。第２の充放電計画は、ＤＲ時間帯９０の開始前までは、図７に示した第１の充放電計画と同様である。このため、各蓄電池４は、ＤＲ時間帯９０の開始前に、デマンドレスポンスが行われた場合にＤＲ時間帯９０の受電電力量をＤＲ量以上削減可能な電力を充電する。第２の充放電計画では、ＤＲ時間帯９０における需要家３の受電電力の合計値を削減するという制約はない。各蓄電池４は、ＤＲ時間帯９０の開始前に充電した電力のうち、ＢＣＰ容量を超える余力分を、ＤＲ時間帯９０以降にピークカットのために必要な量だけを放電し、再び翌日のデマンドレスポンスに対応するために、充電する。
【００５４】
図１０は、本実施形態にかかる第２の充放電計画から、１つの需要家３に関するデータを抽出したグラフである。図８に示すように、当該需要家３に設置された蓄電池４は、ＤＲ時間帯９０までは図１０に示した第１の充放電計画と同様に充放電を行う。蓄電池４は、図１０の第１の充放電計画では、ＤＲ時間帯９０の後に充電をしてその後のピークカットのための電力を蓄電していた。これに対して、第２の充放電計画では、蓄電池４は、ＤＲ時間帯９０の前に充電した電力を、ＤＲ時間帯９０の後にピークカットをするために放電する電力として用いている。作成部１８が予め翌々日のデマンドレスポンスまでを考慮して第２の充放電計画を作成しておくため、蓄電池４は、翌日にデマンドレスポンスを行わない場合であっても、デマンドレスポンスのために蓄電した電力を計画的に効率よく翌々日に使用することができる。
【００５５】
作成部１８は、作成した第２の充放電計画を、記憶部１２に保存する。
【００５６】
次に、表示制御部１４は、第１の充放電計画および第２の充放電計画を表示装置に表示する（Ｓ４）。ＤＲアグリゲータ２の担当者等（ユーザ）は、第１の充放電計画および第２の充放電計画を表示装置上で確認することができる。
【００５７】
制御部１６は、作成された第１の充放電計画または第２の充放電計画のいずれかに従って、各蓄電池４の充放電を制御することによって、第１の充放電計画または第２の充放電計画を実行する（Ｓ５）。制御部１６は、第１の充放電計画または第２の充放電計画のいずれを実行するかを、例えば、記憶部１２に設定されたフラグや、入力部１１から入力されたユーザの指示等によって決定する。ここで、このフローチャートの処理は終了する。
【００５８】
従来技術においては、デマンドレスポンスによって受電電力量の削減を行う時間帯（ＤＲ時間帯９０）と、各需要家３の需要電力量がピークカット目標値を超える時間帯とが一致することが前提とされていた。しかしながら、ＤＲアグリゲータ２が複数の需要家３をまとめてデマンドレスポンスを行う場合は、それぞれの需要家３によって需要電力量が増加する時間帯が異なるため、ＤＲ時間帯９０と各需要家３の需要電力量がピークカット目標値を超える時間帯とが異なる場合がある。このような場合に、従来技術では、デマンドレスポンスとピークカットの両方を行う充放電計画を作成することができない場合があった。
【００５９】
これに対して、本実施形態の蓄電池管理装置１０は、複数の需要家３それぞれの需要電力量を時間単位ごとに予測し、ＤＲ時間帯９０の複数の需要家３の受電電力量の合計値を、予測された需要電力量の合計値よりもＤＲ量以上削減するとともに、需要家３ごとの時間単位ごとの受電電力量がピークカット目標値以下となるように蓄電池４の時間単位ごとの充電量および放電量を規定する第１の充放電計画を作成する。このため、本実施形態の蓄電池管理装置１０によれば、ＤＲ時間帯９０と各需要家３の需要電力量がピークカット目標値を超える時間帯とが異なる場合でも、複数の需要家３の受電電力量の合計値に対するデマンドレスポンスと、各需要家３ごとの受電電力量のピークカットの両方を行うことができる。
【００６０】
また、本実施形態の蓄電池管理装置１０によれば、蓄電池４を充電または放電することによって、需要家３の消費電力量を削減しなくとも、デマンドレスポンスとピークカットとを行うことができる。
【００６１】
さらに、本実施形態の蓄電池管理装置１０は、ＤＲ時間帯９０の複数の需要家３の受電電力量の合計値を予測された需要電力量の合計値よりもＤＲ量以上削減するとともに、需要家３ごとの時間単位ごとの受電電力量がピークカット目標値以下になる充電量および放電量が複数存在する場合に、他の充電量および放電量を規定した場合よりも複数の需要家３の従量電気料金の合計値が小さくなるように充電量および放電量を規定した第１の充放電計画を作成する。このため、本実施形態の蓄電池管理装置１０によれば、デマンドレスポンスとピークカットとをした上で、各需要家３の経済的な負担をさらに低減することができる。
【００６２】
さらに、本実施形態の蓄電池管理装置１０によれば、第１の充放電計画に従って、蓄電池４の充放電を制御するため、デマンドレスポンスとピークカットとを確実に実行することができる。
【００６３】
さらに、本実施形態の蓄電池管理装置１０は、デマンドレスポンスを行わない第２の充放電計画を作成し、第２の充放電計画は、ＤＲ時間帯９０より前の時刻においては、第１の充放電計画と等しい。このため、本実施形態の蓄電池管理装置１０によれば、デマンドレスポンスを行うか否かが当日まで不明である場合に、ＤＲ時間帯９０まではデマンドレスポンスに備えて蓄電池４を充電した上で、デマンドレスポンスを行わなかった場合にも、デマンドレスポンスのために蓄電した電力を計画的に効率よく使用することができる。
【００６４】
さらに、本実施形態の蓄電池管理装置１０によれば、各蓄電池４の蓄電残量がＢＣＰ容量以上となるように蓄電池４の時間単位ごとの充電量および放電量を規定する第１の充放電計画を作成するため、デマンドレスポンスおよびピークカットのために放電した際にも、各需要家３の事業継続のために必要な蓄電残量を蓄電池４に保持することができる。例えば、需要家３がＢＣＰを目的として既に蓄電池４を設置している場合がある。このような場合に、本実施形態の蓄電池管理装置１０は、ＢＣＰのための蓄電残量を確保した上で、既設の蓄電池４の余力分の蓄電残量をデマンドレスポンスおよびピークカットに利用することができる。
【００６５】
なお、翌日のＤＲ時間帯９０が予め決められていない場合、作成部１８は、ＤＲ時間帯９０の候補となる複数の時間帯ごとに、複数の第１の充放電計画および第２の充放電計画を作成しても良い。また、作成部１８は、翌日分の第１の充放電計画および第２の充放電計画だけではなく、当日分の第１の充放電計画および第２の充放電計画を作成しても良い。
【００６６】
本実施形態の記憶部１２に保存されるデータ、および、取得部１３が取得するデータは一例であり、上述の例の限定されるものではない。また、本実施形態では、３０分間隔の時間単位を基準としたが、時間単位は１時間間隔でも良い。
【００６７】
本実施形態の蓄電池管理装置１０で実行される蓄電池管理プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、本実施形態の蓄電池管理装置１０で実行される蓄電池管理プログラムを、インターネット等のネットワークに接続されたコンピュータ上に格納し、ネットワーク経由でダウンロードさせることにより提供するように構成しても良い。また、本実施形態の蓄電池管理装置１０で実行される蓄電池管理プログラムをインターネット等のネットワーク経由で提供または配布するように構成しても良い。また、本実施形態の蓄電池管理プログラムを、ＲＯＭ等に予め組み込んで提供するように構成してもよい。
【００６８】
本実施形態の蓄電池管理装置１０で実行される蓄電池管理プログラムは、上述した各部（入力部、取得部、表示制御部、予測部、作成部、制御部）を含むモジュール構成となっており、実際のハードウェアとしてはＣＰＵ（プロセッサ）が上記記憶媒体から蓄電池管理プログラムを読み出して実行することにより上記各部が主記憶装置上にロードされ入力部、取得部、表示制御部、予測部、作成部、制御部が主記憶装置上に生成されるようになっている。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
２  ＤＲアグリゲータ
３  需要家
４  蓄電池
５  電力系統
６  系統運用者
１０  蓄電池管理装置
１１  入力部
１２  記憶部
１３  取得部
１４  表示制御部
１６  制御部
１７  予測部
１８  作成部
９０  ＤＲ時間帯
【図１】
2019134522.tif 000005
【図２】
2019134522.tif 000006
【図３】
2019134522.tif 000007
【図４】
2019134522.tif 000008
【図５】
2019134522.tif 000009
【図６】
2019134522.tif 000010
【図７】
2019134522.tif 000011
【図８】
2019134522.tif 000012
【図９】
2019134522.tif 000013
【図１０】
2019134522.tif 000014